(57)【要約】【課題】携帯電話のユーザが、所望とするテレビ放送（番組）を確実に視聴できるようにする。【解決手段】テレビ受信部１０２が受信しているテレビ放送の情報を予め設定されている通知先に通知する受信放送通知部１０３と、テレビ受信部１０２が受信しているテレビ放送の中で、受信品質検出手部１０４が検出した受信品質が予め設定されている基準以下の領域である未受信領域の情報を通知先に通知する未受信情報通知部１０５と、通知先より送出された未受信領域に対応するテレビ放送の部分を受信して放送一時記憶部１１０に記憶する未受信放送受信部１０６と、テレビ受信部１０２が受信したテレビ放送および放送一時記憶部１１０に記憶されているテレビ放送の映像を表示部１１１に表示出力し、また音声をスピーカ１１２に出力する放送出力制御１０７とを備える。【選択図】  図１
2010087785.tif 000002
【特許請求の範囲】
【請求項１】
放送されているテレビを受信して放送記憶部に記憶するテレビ放送受信手段と、
前記テレビ放送受信手段が受信しているテレビ放送の情報を予め設定されている通知先に通知する受信放送通知手段と、
前記テレビ放送受信手段が受信しているテレビ放送の受信品質を検出する受信品質検出手段と、
前記テレビ放送受信手段が受信しているテレビ放送の中で、前記受信品質検出手段が検出した受信品質が予め設定されている基準以下の領域である未受信領域の情報を前記通知先に通知する未受信情報通知手段と、
前記通知先より送出された前記未受信領域に対応するテレビ放送の部分を受信して前記放送記憶部に記憶する未受信放送受信手段と、
前記放送記憶部に記憶されているテレビ放送を表示出力する記憶放送出力手段と
を少なくとも備えることを特徴とする携帯電話。
【請求項２】
請求項１記載の携帯電話において、
前記通知先は、携帯電話網を介して接続されている
ことを特徴とする携帯電話。
【発明の詳細な説明】
【技術分野】
【０００１】
本発明は、テレビの視聴が可能な携帯電話に関するものである。
【背景技術】
【０００２】
昨今のテレビチューナ付携帯電話の普及により、移動中にテレビ放送が視聴可能となってきている。ただし、移動中のテレビ放送電波は、例えば、ビルの屋内および地下鉄内では、受信品質が十分でないため、視聴できない領域が多く、ユーザは視聴したい番組を確実に視聴できるとは限らない。この問題を解決するために、携帯電話の電波を利用し、電波状況に応じて受信器を切り替えて受信するシステムが提案されている（特許文献１参照）。
【０００３】
【特許文献１】特開２００８−１１８３５０号公報
【発明の開示】
【発明が解決しようとする課題】
【０００４】
しかしながら、携帯電話の電波を利用するシステムでは、携帯電話の受信バンドで同じ番組が同時に配信されているというインフラが整っていないと利用できない問題がある。また、携帯電話の電波を利用する場合においても、携帯電話の電波の受信品質が悪くなれば、テレビ番組を見逃してしまう可能性がある。
【０００５】
本発明は、以上のような問題点を解消するためになされたものであり、携帯電話のユーザが、所望とするテレビ放送（番組）を確実に視聴できるようにすることを目的とする。
【課題を解決するための手段】
【０００６】
本発明に係る携帯電話は、放送されているテレビを受信して放送記憶部に記憶するテレビ放送受信手段と、テレビ放送受信手段が受信しているテレビ放送の情報を予め設定されている通知先に通知する受信放送通知手段と、テレビ放送受信手段が受信しているテレビ放送の受信品質を検出する受信品質検出手段と、テレビ放送受信手段が受信しているテレビ放送の中で、受信品質検出手段が検出した受信品質が予め設定されている基準以下の領域である未受信領域の情報を通知先に通知する未受信情報通知手段と、通知先より送出された未受信領域に対応するテレビ放送の部分を受信して放送記憶部に記憶する未受信放送受信手段と、放送記憶部に記憶されているテレビ放送を表示出力する記憶放送出力手段とを少なくとも備えるようにしたものである。
【発明の効果】
【０００７】
以上説明したように、本発明によれば、携帯電話のユーザが、所望とするテレビ放送（番組）を確実に視聴できるようになるという優れた効果が得られる。
【発明を実施するための最良の形態】
【０００８】
以下、本発明の実施の形態について図を参照して説明する。
【０００９】
［実施の形態１］
始めに、本発明の実施の形態１について説明する。図１は、本発明の実施の形態１における携帯電話１０１の構成を示す構成図である。携帯電話１０１は、まず、テレビの放送を受信し、また、受信した放送を放送一時記憶部１１０に記憶するテレビ受信部（テレビ放送受信手段）１０２と、テレビ受信部１０２が受信しているテレビ放送の情報を予め設定されている通知先に通知する受信放送通知部１０３と、テレビ受信部１０２が受信しているテレビ放送の受信品質を検出する受信品質検出手部１０４とを備える。
【００１０】
また、携帯電話１０１は、テレビ受信部１０２が受信しているテレビ放送の中で、受信品質検出手部１０４が検出した受信品質が予め設定されている基準以下の領域である未受信領域の情報を通知先に通知する未受信情報通知部１０５と、通知先より送出された未受信領域に対応するテレビ放送の部分を受信して放送一時記憶部１１０に記憶する未受信放送受信部１０６と、テレビ受信部１０２が受信したテレビ放送および放送一時記憶部１１０に記憶されているテレビ放送の映像を表示部１１１に表示出力し、また音声をスピーカ１１２に出力する放送出力制御１０７とを備える。
【００１１】
次に、予め設定されている通知先であるパーソナルコンピュータ（ＰＣ）１３０は、携帯電話１０１より通知された受信しているテレビ放送の情報を受け付ける情報受信部１３１と、情報受信部１３１が受け付けた情報に対応するテレビ放送を受信して放送記憶部１３５に記憶するテレビ受信部１３２とを備える。
【００１２】
また、ＰＣ１３０は、携帯電話１０１より通知された未受信領域の情報を受け付ける未受信情報受信部１３３と、未受信情報受信部１３４が受け付けた未受信領域の情報に対応するテレビ放送の部分を放送記憶部１３５より取り出して携帯電話１０１に対して送出する未受信放送送信部１３４とを備える。
【００１３】
ここで、携帯電話１０１とＰＣ１３０とは、携帯電話網１５０およびインターネット網１５１を介して接続を確立し、テレビ受信部１０２が受信しているテレビ放送の情報，未受信領域の情報、未受信領域の情報に対応するテレビ放送の部分などのデータのやりとりを行う。
【００１４】
次に、本実施の形態１における携帯電話１０１の動作例について、図２のフローチャートを用いて説明する。
【００１５】
携帯電話１０１を使用中のユーザが、テレビ放送の受信を開始すると、まず、テレビ受信部１０２が動作を開始して、指示入力された番組の受信を開始する（ステップＳ２０１）。テレビ放送の受信は、例えば、いわゆる地上波デジタル放送の「ワンセグ」と呼ばれるテレビ放送の受信形態である。
【００１６】
このようにしてテレビ放送の受信（視聴）が開始されると、まず、携帯電話１０１の受信放送通知部１０３が、携帯電話網１５０およびインターネット網１５１を通じ、ＰＣ１３０に視聴している番組を通知する（ステップＳ２０２）。
【００１７】
ＰＣ１３０では、携帯電話１０１から通知された視聴している番組の情報が、情報受信部１３１で受信され、テレビ受信部１３２が、情報受信部１３１が受け付けた情報に対応するテレビ放送を受信して放送記憶部１３５に録画を開始する（記憶する）。
【００１８】
また、ワンセグ放送を受信中の携帯電話１０１では、テレビ受信部１３２によるテレビ放送の受信が開始されると共に、受信品質検出部１０４が、受信品質の検出を開始する（ステップＳ２０３）。このようにして受信品質が検出される中で、受信品質が予め設定されている基準以下の状態である受信品質の劣化を検知すると（ステップＳ２０４）、未受信情報通知部１０５が、携帯電話網１５０およびインターネット網１５１を通じ、携帯電話１０１で受信できなかった部分が分かる情報（未受信領域の情報）をＰＣ１３０へ通知する（ステップＳ２０５）。また、受信品質が基準値を超えている場合は（ステップＳ２０４）、ステップＳ２０７に進む。
【００１９】
ＰＣ１３０では、携帯電話１０１からの未受信領域の情報を未受信情報受信部１３３が受信すると、テレビ受信部１３２により放送記憶部１３５に録画していたなかで、未受信領域の情報に対応する受信できなかった部分を、未受信放送送信部１３４が、インターネット網１５１および携帯電話網１５０を通じ、携帯電話１０１に送信する。このようにして送信された放送の部分が、未受信放送受信部１０６で受信され、放送一時記憶部１１０に記憶される（ステップＳ２０６）。
【００２０】
次に、ステップＳ２０７において、携帯電話１０１では、放送出力制御部１０７が、放送一時記憶部１１０に、直前に出力した放送データに連続している放送データが記憶されているかどうかを確認する。この確認で、連続している放送データがない場合、放送出力制御部１０７は、この時点でテレビ受信部１０２が受信した放送データが、直前に出力した放送データに連続していることを確認する（ステップＳ２０８）。ここで、連続していることを確認すると、放送出力制御部１０７は、テレビ受信部１０２が受信した放送データを、表示部１１１に表示し、スピーカ１１２に出力する（ステップＳ２０９）。
【００２１】
一方、ステップＳ２０７で、放送出力制御部１０７が、放送一時記憶部１１０に、直前に出力した放送データに連続している放送データが記憶されていることを確認すると、放送出力制御部１０７は、一時記憶部１１０に記憶されていた放送データを出力する（ステップＳ２１０）。次いで、放送出力制御部１０７は、現在、テレビ放送受信部１０２が受信している放送データを一時記憶部１１０に記憶する（ステップＳ２１１）。また、ステップＳ２０８で連続していることが確認できない場合（連続していない場合）は、放送出力制御部１０７が、現在、テレビ放送受信部１０２が受信している放送データを一時記憶部１１０に記憶し（ステップＳ２１１）、ステップＳ２１２に移行する。
【００２２】
以上の動作を、テレビ受信が終了されるまで継続する（ステップＳ２１２）。
【００２３】
ステップＳ２０７の判断で、連続している放送データが放送一時記憶部１１０に記憶されている場合、これは、未受信のためにＰＣ１３０より受信した放送データであるものであり、携帯電話１０１（放送出力制御部１０７）では、直前に出力した放送データに連続する放送データを、目的の品質で受信できなかったことになる。このような場合、放送出力制御部１０７は、一時記憶部１１０に記憶されている放送データを出力する。
【００２４】
これに対し、連続している放送データが放送一時記憶部１１０に記憶されていない場合、未受信のためにＰＣ１３０より受信した放送データがないことを示し、これは、直前に出力した放送データに連続する放送データを、目的の品質で受信できことを示している。このような場合、テレビ受信部１０２で受信した放送データをそのまま出力する。従って、出力される際には、放送された順に連続となる。
【００２５】
［実施の形態２］
次に、本発明の実施の形態２について説明する。前述した実施の形態１では、テレビ放送を受信している状態で視聴する場合について説明したが、これに限るものではなく、受信しているテレビ放送を録画するようにしてもよい。以下、録画をする場合について説明する。
【００２６】
ユーザにより、テレビ放送（ワンセグ番組）の録画予約の指示が入力されると、携帯電話１０１のテレビ受信部１０２がこの指示を受け付けて録画を予約する（ステップＳ３０１）。次いで、携帯電話１０１では、受信放送通知部１０３が、携帯電話網１５０およびインターネット網１５１を通じて、録画する番組をＰＣ１３０に通知する（ステップＳ３０２）。次いで、録画開始の時刻になると、携帯電話１０１においては、テレビ受信部１０２が予約されていた番組の録画を開始し、放送データの放送一時記憶部１１０への記憶を開始する（ステップＳ３０３）。また、ＰＣ１３０では、テレビ受信部１３２が、情報受信部１３１により受信された予約情報の番組の録画を開始し、放送データの放送記憶部１３５への記憶を開始する。
【００２７】
次に、テレビ受信部１３２によるテレビ放送の受信および録画が開始されると共に、受信品質検出部１０４が、受信品質の検出を開始する（ステップＳ３０４）。このようにして受信品質が検出される中で、受信品質が予め設定されている基準以下の状態である受信品質の劣化を検知すると（ステップＳ３０５）、受信品質検出部１０４が、携帯電話１０１で受信できなかった部分が分かる情報（未受信領域の情報）を放送一時記憶部１１０に記憶する（ステップＳ３０６）。一方、受信品質が基準値を超えている場合は（ステップＳ２０４）、受信した放送の部分を受信放送一時記憶部１１０に記憶する（ステップＳ３０７）。
【００２８】
次に、録画している番組が終了すると、携帯電話１０１では、録画ができなかった部分がある場合（ステップＳ３０９）、未受信情報通知部１０５が、携帯電話網１５０およびインターネット網１５１を通じ、携帯電話１０１で受信できなかった部分が分かる情報（未受信領域の情報）をＰＣ１３０へ通知する（ステップＳ３１０）。
【００２９】
地上波デジタルチューナ付ＰＣ１３０は、携帯電話１０１が録画できなかった部分が分かる情報を受信すると、録画した放送データから、携帯電話１０１が録画できなかった部分のみを、インターネット網１５１および携帯電話網１５０を通じて、携帯電話１０１に送信する。
【００３０】
携帯電話１０１は、地上波デジタルチューナ付ＰＣ１３０から、録画できなかった放送データを受信すると（ステップＳ３１１）、放送一時記憶部１１０に記憶されている未受信領域の情報を、受信した放送データに置き換えて記憶する（ステップＳ３１２）。
【００３１】
携帯電話１０１のユーザが、録画予約した番組を再生する場合、携帯電話１０１で受信できなかった部分も、番組終了後に、ＰＣ１３０から受信できなかった部分が送られてくるため、番組は切れることなく録画されている状態であり、完全に視聴することが可能となる。
【００３２】
上述した本発明によれば、携帯電話で受信できなかった放送データを地上波デジタルチューナ付ＰＣで録画したものから、インターネット網および携帯電話網を利用して、携帯電話に送信するようにしていたが、例えば、テレビ放送チューナ付のＰＣではなく、インターネット網に接続可能なデジタルテレビを使用しても可能である。
【００３３】
以上に説明した本発明によれば、まず、テレビ放送受信機能を備える携帯電話のユーザは、テレビ放送を視聴する際に、テレビ放送の電波品質が劣化して、携帯電話で受信が不可能となった場合でも、番組内容が欠落することなく視聴可能となる。また、受信が不可能となる問題が発生する場合も、携帯電話は、テレビ放送を受信できなかった部分のみを、テレビチューナ機能を備えるＰＣから受信するため、通信料金を最小に抑えることが可能となる。
【００３４】
また、番組視聴中に携帯電話の電池が切れ、また、携帯電話網の電波と地上波デジタル放送の電波の両方が受信できないような場所にユーザが移動した場合も、視聴開始時に、携帯電話網が圏外となっていなければ、放送されている番組は、ＰＣに録画されるため、携帯電話に充電された後、もしくは、帰宅時にＰＣを用いることで、視聴できなくなった部分を視聴することが可能となる。
【図面の簡単な説明】
【００３５】
【図１】本発明の実施の形態１における携帯電話１０１の構成を示す構成図である。
【図２】本発明の実施の形態１における携帯電話１０１の動作例を説明するためのフローチャートである。
【図３】本発明の実施の形態２における携帯電話１０１の動作例を説明するためのフローチャートである。
【符号の説明】
【００３６】
１０１…携帯電話、１０２…テレビ受信部（テレビ放送受信手段）、１０３…受信放送通知部、１０４…受信品質検出手部、１０５…未受信情報通知部、１０６…未受信放送受信部、１０７…放送出力制御、１１０…放送一時記憶部、１１１…表示部、１１２…スピーカ、１３０…パーソナルコンピュータ（ＰＣ）、１３１…情報受信部、１３２…テレビ受信部、１３３…未受信情報受信部、１３４…未受信情報受信部、１３５…放送記憶部、１５０…携帯電話網、１５１…インターネット網。
【図１】
2010087785.tif 000003
【図２】
2010087785.tif 000004
【図３】
2010087785.tif 000005